(57)【要約】  ナビゲーションシステム１００は、インターネット端末装置１０と、ナビゲーション装置３０と、インターネット端末装置１０における検索履歴または閲覧履歴から推定されたユーザの行き先に関連する情報である推定行き先情報を収集してナビゲーション装置３０へ送信するサーバー２０とを備える。ナビゲーション装置３０は、サーバー２０から受信した推定行き先情報を、表示装置または音声出力装置を用いて出力可能に構成されている。
2017033301.tif 000002
【特許請求の範囲】
【請求項１】
インターネット端末装置における検索履歴または閲覧履歴から推定されたユーザの行き先に関連する情報である推定行き先情報を取得する情報取得部と、
各種の情報を表示装置または音声出力装置を用いてユーザに提示する出力処理部と、
を備え、
前記表示装置に表示された目的地設定画面、経由地設定画面、経路選択画面または地図表示画面から、前記情報取得部が取得した前記推定行き先情報をユーザが視聴するための画面を呼び出し可能に構成されている
ことを特徴とするナビゲーション装置。
【請求項２】
前記推定行き先情報は、推定されたユーザの行き先に対応する地域または施設に関する情報である
請求項１記載のナビゲーション装置。
【請求項３】
前記情報取得部は、前記ナビゲーション装置の起動時に、前記推定行き先情報を取得する
請求項１記載のナビゲーション装置。
【請求項４】
インターネット端末装置と、
ナビゲーション装置と、
前記インターネット端末装置における検索履歴または閲覧履歴から推定されたユーザの行き先に関連する情報である推定行き先情報を収集して前記ナビゲーション装置へ送信する情報収集装置と、
を含み、
前記ナビゲーション装置は、前記情報収集装置から受信した前記推定行き先情報を、表示装置または音声出力装置を用いて出力可能に構成されている
ことを特徴とするナビゲーションシステム。
【請求項５】
前記ナビゲーション装置は、前記表示装置に表示された目的地設定画面、経由地設定画面、経路選択画面または地図表示画面から、前記情報収集装置から受信した前記推定行き先情報をユーザが視聴するための画面を呼び出し可能に構成されている
請求項４記載のナビゲーションシステム。
【請求項６】
前記推定行き先情報は、推定されたユーザの行き先に対応する地域または施設に関する情報である
請求項４記載のナビゲーションシステム。
【請求項７】
前記情報収集装置は、前記ナビゲーション装置と通信可能になった直後に、前記推定行き先情報を前記ナビゲーション装置へ送信する
請求項４記載のナビゲーションシステム。
【請求項８】
前記情報収集装置は、前記インターネット端末装置および前記ナビゲーション装置との通信が可能なサーバーとして構成されている
請求項４記載のナビゲーションシステム。
【請求項９】
前記情報収集装置は、前記インターネット端末装置に内蔵されている
請求項４記載のナビゲーションシステム。
【請求項１０】
前記情報収集装置は、インターネットから情報を収集する
請求項４記載のナビゲーションシステム。
【請求項１１】
情報収集装置が、インターネット端末装置における検索履歴または閲覧履歴から推定されたユーザの行き先に関連する情報である推定行き先情報を収集して、ナビゲーション装置へ送信し、
前記ナビゲーション装置が、前記情報収集装置から受信した前記推定行き先情報をユーザに提示する
ことを特徴とするナビゲーション装置を用いた情報提示方法。
【発明の詳細な説明】
【技術分野】
【０００１】
本発明は、ナビゲーションシステムに関するものである。
【背景技術】
【０００２】
自宅や会社などのコンピュータによる検索結果を携帯情報端末に転送し、移動中にその携帯情報端末で新しく検索した詳細な情報に基づいて、カーナビゲーション装置の目的地を設定するシステムが下記の特許文献１に開示されている。また、下記の特許文献２には、ユーザの移動履歴と過去のスケジュール情報から、目的地を推定するナビゲーションシステムが開示されている。
【先行技術文献】
【特許文献】
【０００３】
【特許文献１】特開２００３−３２９４８０号公報
【特許文献２】特開２００９−１８６２１９号公報
【発明の概要】
【発明が解決しようとする課題】
【０００４】
特許文献１の技術では、ユーザが移動中に携帯情報端末を用いて情報を検索する必要があり、例えばユーザが運転者の場合には、携帯情報端末を操作できないため使い勝手が悪い。特許文献２の技術では、ユーザの過去の挙動から目的地を推定するため、ユーザが行ったことのない場所が目的地として推定されることはない。【０００５】
本発明は以上のような課題を解決するためになされたものであり、ユーザが行ったことのない場所でも行き先として推定することができると共に、推定された行き先の最新の情報をユーザが容易に閲覧することが可能なカーナビゲーションシステムを提供することを目的とする。
【課題を解決するための手段】
【０００６】
本発明に係るナビゲーション装置は、インターネット端末装置における検索履歴または閲覧履歴から推定されたユーザの行き先に関連する情報である推定行き先情報を取得する情報取得部と、各種の情報を表示装置または音声出力装置を用いてユーザに提示する出力処理部と、を備え、表示装置に表示された目的地設定画面、経由地設定画面、経路選択画面または地図表示画面から、情報取得部が取得した推定行き先情報をユーザが視聴するための画面を呼び出し可能に構成されている。【０００７】
本発明に係るナビゲーションシステムは、インターネット端末装置と、ナビゲーション装置と、インターネット端末装置における検索履歴または閲覧履歴から推定されたユーザの行き先に関連する情報である推定行き先情報を収集してナビゲーション装置へ送信する情報収集装置と、を含み、ナビゲーション装置は、情報収集装置から受信した推定行き先情報を、表示装置または音声出力装置を用いて出力可能に構成されている。
【発明の効果】
【０００８】
本発明によれば、ナビゲーション装置が受信する推定行き先情報は、インターネット端末装置におけるユーザの検索履歴または閲覧履歴から推定されたユーザの行き先に関する情報であり、ナビゲーション装置は、ユーザが行ったことのない場所の情報を得ることができる。また、ユーザは、推定行き先情報がナビゲーション装置に転送されることで、ユーザは推定された行き先の最新の情報を容易に閲覧することができる。【０００９】
この発明の目的、特徴、局面、および利点は、以下の詳細な説明と添付図面とによって、より明白となる。
【図面の簡単な説明】
【００１０】
【図１】実施の形態１に係るナビゲーションシステムの構成図である。
【図２】実施の形態１に係るナビゲーション装置のハードウェア構成図である。
【図３】実施の形態１に係るインターネット端末装置の動作を示すフローチャートである。
【図４】実施の形態１に係るサーバーの動作を示すフローチャートである。
【図５】実施の形態１に係るナビゲーション装置の動作を示す図である。
【図６】実施の形態１に係るナビゲーション装置の画面表示例を示す図である。
【図７】実施の形態１に係るナビゲーション装置の画面表示例を示す図である。
【図８】実施の形態１に係るナビゲーション装置の画面表示例を示す図である。
【図９】実施の形態１に係るナビゲーション装置の画面表示例を示す図である。
【図１０】実施の形態１に係るナビゲーション装置の画面表示例を示す図である。
【図１１】実施の形態１に係るナビゲーション装置の画面表示例を示す図である。
【図１２】実施の形態１に係るナビゲーション装置の画面表示例を示す図である。
【図１３】実施の形態１に係るナビゲーション装置の画面表示例を示す図である。
【図１４】実施の形態２に係るナビゲーションシステムの構成図である。
【図１５】実施の形態２に係るナビゲーションシステムの構成図である。
【発明を実施するための形態】
【００１１】
＜実施の形態１＞
図１は、本発明の実施の形態１に係るナビゲーションシステム１００の構成を示す図である。当該システムは、インターネット端末装置１０、サーバー２０およびナビゲーション装置３０を含む構成となっている。インターネット端末装置１０およびナビゲーション装置３０は同じユーザの管理下にあるものである。
【００１２】
インターネット端末装置１０は、例えばユーザの自宅のパソコン等であり、インターネット検索（インターネットを用いた情報検索）やウェブページ閲覧などが可能なブラウザ１１を備えている。また、インターネット端末装置１０は、インターネット４０を通してサーバー２０と通信可能であり、ユーザがブラウザ１１を用いてインターネット検索やウェブページ閲覧を行うと、その検索履歴および閲覧履歴をサーバー２０へ送信する。インターネット端末装置１０は、検索履歴および閲覧履歴の両方をサーバー２０へ送信することが好ましいが、例えば、ユーザがインターネット検索のみ、またはウェブページ閲覧のみを行った場合など、いずれか片方のみが送信されることもある。
【００１３】
サーバー２０は、例えばナビゲーションシステム１００のサービス提供会社の管理下にあるものである。サーバー２０には、インターネット端末装置１０およびナビゲーション装置３０が、同じユーザのものとして対応付けされて登録されている。
【００１４】
サーバー２０は、インターネット端末装置１０から受信したユーザの検索履歴および閲覧履歴から、ユーザの行き先（外出先）を推定する行き先推定部２１と、行き先推定部２１により推定されたユーザの行き先に関連する情報（以下、「推定行き先情報」という）をインターネット４０から収集する情報収集部２２とを備えている。また、サーバー２０は、情報収集部２２が収集した推定行き先情報を、ナビゲーション装置３０へ送信する。すなわち、サーバー２０は、インターネット端末装置１０におけるユーザの検索履歴または閲覧履歴から推定されたユーザの行き先に関連する情報（推定行き先情報）を収集してナビゲーション装置３０へ送信する、情報収集装置として機能している。
【００１５】
なお、行き先推定部２１が推定するユーザの行き先は、最終的な目的地に限られず、目的地へ行く途中に立ち寄る場所（経由地）でもよい。また、行き先推定部２１が推定するユーザの行き先は、ピンポイントの地点でなくてもよく、例えば、都道府県や市町村などある程度広範囲の地域でもよいし、目的地に到着するまでに通る道路（経路）など長さを持つものでもよい。
【００１６】
また、情報収集部２２が収集する推定行き先情報は、推定された行き先に対応する地域または施設に関する情報である。その内容は、ユーザが行き先を決定するために役立つ情報であることが好ましく、例えば、行き先の周辺の観光スポット情報、イベント情報、グルメ情報（飲食店情報）や、それら観光スポット、イベント、飲食店等の評価情報などが考えられる。推定行き先情報のデータ形態は、ナビゲーション装置３０を用いて閲覧可能なものであればよく、例えば、動画データ、写真データ、テキストデータ、音声データ、ウェブページの複製データなどが考えられる。
【００１７】
ナビゲーション装置３０は、例えば、ユーザが所有する車両に搭載されたカーナビゲーション装置などである。本実施の形態は、ナビゲーション装置３０が車両に搭載されているものとして説明するが、ナビゲーション装置３０は、車内に固定されたものに限らず、携帯型の装置であってもよい。
【００１８】
ナビゲーション装置３０には、入力装置３０１、表示装置３０２、音声出力装置３０３および通信装置３０４が接続されている。
【００１９】
入力装置３０１は、ユーザがナビゲーション装置３０に対して入力する操作や情報を受け付けるユーザインターフェイスである。入力装置３０１は、操作ボタンやキーボードなどのハードウェアでもよいし、画面に表示されるアイコンを用いたソフトウェアキーでもよい。
【００２０】
表示装置３０２および音声出力装置３０３は、ナビゲーション装置３０が出力する各種の情報を、画像または音声でユーザに提示するための装置である。入力装置３０１としてのソフトウェアキーを、表示装置３０２の画面に表示させる場合、表示装置３０２および入力装置３０１は、両者の機能を兼ね備えた１つのタッチパネル装置として構成されてもよい。
【００２１】
通信装置３０４は、ナビゲーション装置３０がサーバー２０との通信を行うための装置である。ナビゲーション装置３０は、通信装置３０４と連携して動作することで、インターネット４０を通してサーバー２０との通信が可能になり、サーバー２０が送信する推定行き先情報を受信できるようになる。通信装置３０４は、携帯電話やスマートフォンなど、汎用の通信装置であってもよい。
【００２２】
その他、ナビゲーション装置３０には、位置情報の受信装置（例えばＧＰＳ（Global Positioning System）受信装置）や、地図情報が格納された地図情報記憶装置などが接続（または内蔵）されるが、それらは一般的なナビゲーション装置が有するものと同じでよく、本発明との関連が薄いため、図示を省略している。
【００２３】
また、ナビゲーション装置３０は、入力処理部３１、出力処理部３２、ナビゲーション部３３、情報取得部３４および記憶部３５を含む構成となっている。
【００２４】
入力処理部３１は、入力装置３０１が出力する信号を受けて、ユーザが入力装置３０１に対して行った操作の内容を解析し、当該操作の内容をナビゲーション装置３０の各要素に伝達する処理を行う。出力処理部３２は、ナビゲーション装置３０が出力する情報を、表示装置３０２および音声出力装置３０３を用いて画像または音声として出力するための画像データまたは音声データを生成する。
【００２５】
ナビゲーション部３３は、ナビゲーション装置３０の基本動作である経路案内の処理を行う。具体的には、現在位置からユーザが設定した目的地までの走行経路を探索し、車両の走行中に、ユーザ（運転者）に対して走行経路を案内する。走行経路の案内は、走行経路を示す地図を表示装置３０２に表示したり、交差点での進行方向や車線変更を指示する音声を音声出力装置３０３から出力したりすることによって行われる。
【００２６】
情報取得部３４は、通信装置３０４を介してサーバー２０との通信を行い、サーバー２０の情報収集部２２が収集した推定行き先情報を取得する。記憶部３５は、情報取得部３４が取得した推定行き先情報を記憶する。ナビゲーション装置３０は、記憶部３５に記憶されている推定行き先情報を、ユーザが表示装置３０２および音声出力装置３０３を介して視聴可能なように構成されている。
【００２７】
図２は、ナビゲーション装置３０のハードウェア構成を示す図である。図２のように、ナビゲーション装置３０は、少なくとも処理回路５０１、メモリ５０２、入出力インターフェイス５０３を含む構成となっている。
【００２８】
入力装置３０１、表示装置３０２、音声出力装置３０３および通信装置３０４は、入出力インターフェイス５０３に接続される。図１では、入力装置３０１、表示装置３０２、音声出力装置３０３および通信装置３０４が、ナビゲーション装置３０に外付けされた構成としたが、それらのハードウェアがナビゲーション装置３０の内部に配設されるようにしてもよい。
【００２９】
ナビゲーション装置３０における入力処理部３１、出力処理部３２、ナビゲーション部３３、情報取得部３４および記憶部３５の各機能は、処理回路５０１により実現される。すなわち、ナビゲーション装置３０は、インターネット端末装置１０における検索履歴または閲覧履歴から推定されたユーザの行き先に関連する情報（推定行き先情報）を取得し、その推定行き先情報をユーザが視聴できるように出力するための処理回路５０１を備える。処理回路５０１は、メモリ５０２に格納されるプログラムを実行するＣＰＵ（Central Processing Unit、中央処理装置、処理装置、演算装置、マイクロプロセッサ、マイクロコンピュータ、プロセッサ、ＤＳＰともいう）である。
【００３０】
入力処理部３１、出力処理部３２、ナビゲーション部３３、情報取得部３４および記憶部３５の機能は、ソフトウェア、ファームウェア、またはソフトウェアとファームウェアとの組み合わせにより実現される。ソフトウェアやファームウェアはプログラムとして記述され、メモリ５０２に格納される。処理回路５０１は、メモリ５０２に記憶されたプログラムを読み出して実行することにより、各部の機能を実現する。すなわち、ナビゲーション装置３０は、インターネット端末装置１０における検索履歴または閲覧履歴から推定されたユーザの行き先に関連する情報（推定行き先情報）を取得するステップと、その推定行き先情報をユーザが視聴できるように出力するステップとが、結果的に実行されることになるプログラムを格納するためのメモリ５０２を備える。また、これらのプログラムは、入力処理部３１、出力処理部３２、ナビゲーション部３３、情報取得部３４および記憶部３５が行う処理の手順や方法をコンピュータに実行させるものであるともいえる。ここで、メモリ５０２は、例えば、ＲＡＭ（Random-Access Memory）、ＲＯＭ（Read-Only Memory）、フラッシュメモリ、ＥＰＲＯＭ（Erasable Programmable Read-Only Memory）、ＥＥＰＲＯＭ（Electrically Erasable Programmable Read-Only Memory）等の、不揮発性または揮発性の半導体メモリや、磁気ディスク、フレキシブルディスク、光ディスク、コンパクトディスク、ミニディスク、ＤＶＤ（Digital Versatile Disc）等が該当する。なお、記憶部３５の記憶領域は、メモリ５０２の一部を用いて実現される。
【００３１】
また、サーバー２０のハードウェア構成も、基本的には図２と同様の構成となっている。すなわち、サーバー２０は、インターネット端末装置１０における検索履歴または閲覧履歴からユーザの行き先を推定し、推定されたユーザの行き先に関連する情報（推定行き先情報）を取得し、その推定行き先情報をナビゲーション装置３０へ送信するための処理回路５０１と、それらの処理を処理回路５０１に実行させるためのプログラムを記憶したメモリ５０２とを備えている。
【００３２】
以下、ナビゲーションシステム１００におけるインターネット端末装置１０、サーバー２０およびナビゲーション装置３０の各動作を説明する。
【００３３】
図３は、インターネット端末装置１０の動作を示すフローチャートである。インターネット端末装置１０は、ユーザがブラウザ１１を用いてインターネット検索またはウェブページ閲覧を行うと（ステップＳ１１）、その検索履歴および閲覧履歴をサーバー２０へ送信する（ステップＳ１２）。
【００３４】
図４は、サーバー２０の動作を示すフローチャートである。サーバー２０が、インターネット端末装置１０が図３のステップＳ１２で送信したユーザの検索履歴および閲覧履歴を受信すると（ステップＳ２１）、行き先推定部２１は、それらの内容を分析してユーザの行き先を推定する（ステップＳ２２）。例えば、検索履歴に地名、施設名、イベント名などが含まれていれば、それらの所在地や開催地がユーザの行き先として推定される。また、閲覧履歴に、特定の観光地、施設、イベントなどのウェブサイトが含まれていれば、それに対応する場所がユーザの行き先として推定される。
【００３５】
行き先推定部２１は、ユーザの行き先として推定する場所（以下、「行き先候補地」という）を１箇所に絞り込む必要はなく、複数の行き先候補地を挙げてもよい。行き先候補地が非常に多く挙げられる場合には、例えば、検索頻度や閲覧頻度が比較的高いものに絞り込んだり、行き先候補が集中した地域全体を１つの行き先候補地に変換したりして、行き先候補地の数を少なくしてもよい。
【００３６】
行き先推定部２１によりユーザの行き先が推定されると、情報収集部２２が、インターネット４０から、推定されたユーザの行き先に関連する情報（推定行き先情報）を検索して収集する（ステップＳ２３）。先に述べたように、推定行き先情報は、推定されたユーザの行き先（行き先候補地）およびその周辺の観光スポット情報、イベント情報、グルメ情報およびそれらの評価情報などである。
【００３７】
行き先推定部２１による推定行き先情報の収集が完了すると、サーバー２０はナビゲーション装置３０との通信が可能かどうか確認する（ステップＳ２４）。サーバー２０は、ナビゲーション装置３０との通信可能でなければ（ステップＳ２４でＮＯ）、通信可能になるのを待ち、通信可能になると（ステップＳ２４でＹＥＳ）、行き先推定部２１が収集した推定行き先情報をナビゲーション装置３０へ送信する（ステップＳ２５）。
【００３８】
図５は、ナビゲーション装置３０の動作、特に、推定行き先情報の受信および提示に係る動作を示すフローチャートである。サーバー２０が図４のステップＳ２５で送信した推定行き先情報は、通信装置３０４を通してナビゲーション装置３０の情報取得部３４に受信される（ステップＳ３１）。情報取得部３４に受信された推定行き先情報は、記憶部３５に記憶される（ステップＳ３２）。
【００３９】
記憶部３５に推定行き先情報が記憶されると、入力処理部３１は、ユーザから推定行き先情報の提示要求を受けたか否かを確認する（ステップＳ３３）。ユーザから推定行き先情報の提示要求を受けた場合（ステップＳ３３でＹＥＳ）、出力処理部３２は、表示装置３０２または音声出力装置３０３を用いて推定行き先情報をユーザに提示する（ステップＳ３４）。その後、情報取得部３４は、サーバー２０から新たな推定行き先情報が送信されたかを確認する（ステップＳ３５）。
【００４０】
ユーザから推定行き先情報の提示要求を受けていない場合は（ステップＳ３３でＮＯ）、推定行き先情報の提示処理（ステップＳ３４）は行わないが、その場合も、情報取得部３４は、サーバー２０から新たな推定行き先情報が送信されたかを確認する（ステップＳ３５）。
【００４１】
サーバー２０から新たな推定行き先情報が送信された場合は（ステップＳ３５でＹＥＳ）、ステップＳ３１へ戻り、新たな推定行き先情報を受信する。サーバー２０から新たな推定行き先情報が送信されていない場合は（ステップＳ３５でＮＯ）、ステップＳ３３へ戻り、ユーザから推定行き先情報の提示要求が入力されるのを待つ。
【００４２】
図４で説明したように、サーバー２０は、ナビゲーション装置３０との通信が可能になるのを待ってから推定行き先情報を送信するため、基本的に、ナビゲーション装置３０が推定行き先情報を受信するタイミングは、ナビゲーション装置３０が起動した直後、より具体的にはナビゲーション装置３０とサーバー２０との通信が可能になった直後となる。そのため、ナビゲーション装置３０は、ユーザが目的地等を設定する前に、推定行き先情報を取得できる。ただし、サーバー２０が推定行き先情報をナビゲーション装置３０へ送信するタイミングは、ナビゲーション装置３０の起動直後だけではない。ナビゲーション装置３０が起動した後も、サーバー２０は、推定行き先情報を更新するごと（すなわち図４の動作が行われるごと）に推定行き先情報をナビゲーション装置３０へ送信しようとする。図５のステップＳ３５は、更新後の新たな推定行き先情報を受信するための処理である。
【００４３】
ナビゲーション装置３０は、ユーザが入力装置３０１を用いて推定行き先情報の提示要求を容易に入力できるように構成されている。また、図５での説明は省略したが、ユーザは、ナビゲーション装置３０が提示した推定行き先情報を視聴した後、その推定行き先情報を参考にして、ナビゲーション部３３に設定する目的地や経由地、経路などを容易に選択できるように構成されている。
【００４４】
以下では、これらを実現するための画面構成の例を示す。以下の例における「おすすめ情報」は、ユーザの推定行き先情報に相当するものである。また、入力装置３０１および表示装置３０２は、１つのタッチパネル装置を構成しているものとする。すなわち、入力装置３０１は、表示装置３０２の画面に表示されている各種のボタン（ソフトウェアキー）として実現されている。
【００４５】
ナビゲーション装置３０は、推定行き先情報をユーザが閲覧するための画面（推定行き先情報の提示要求を入力するための画面）を呼び出すための「おすすめ情報」ボタンを、表示装置３０２に表示される各画面の見やすい位置に表示させる。推定行き先情報は、目的地、経由地、経路等を選択する際に役立つ情報であるのはもちろん、目的地等を設定した後にその周辺の詳細な情報を知りたい場合にも役立つ情報である。そのため、例えば図６のような目的地または経由地の設定画面や、図７のような経路選択画面、図８のような地図表示画面（経路案内画面を含む）などに、「おすすめ情報」ボタンを表示させるとよい。
【００４６】
ユーザが図６〜図８の各「おすすめ情報」ボタンにタッチすると、まず、図９のような推定行き先情報（おすすめ情報）のジャンル選択画面が表示される。
【００４７】
例えば、ユーザが「おすすめ目的地」ボタンにタッチすると、図１０のように行き先候補地の一覧が表示される。また、ユーザが「おすすめイベント」ボタンにタッチすると、図１１のように行き先候補地の周辺で開催されているイベントの一覧が表示される。同様に、ユーザが「おすすめ飲食店」ボタンにタッチすると、図１２のように行き先候補地の周辺の飲食店の一覧が表示される。ユーザが「おすすめ宿泊施設」ボタンにタッチすると、図１３のように行き先候補地の周辺の宿泊施設の一覧が表示される。
【００４８】
図１０〜図１３の各画面において、「情報を見る」ボタンのいずれかにユーザがタッチすると、それに対応する行き先候補地、イベント、飲食店または宿泊施設に関する推定行き先情報が、表示装置３０２または音声出力装置３０３から出力される。それにより、ユーザは、推定行き先情報を視聴することができる。推定行き先情報の視聴が終わると、再び元の画面（図１０〜図１３のいずれか）に戻る。
【００４９】
また、図１０〜図１３の各画面において、「目的地に設定」ボタンにユーザがタッチすると、それに対応する先候補地の場所、イベントの開催地、飲食店の所在地または宿泊施設の所在地を、目的地としてナビゲーション部３３に設定することができる。このような画面構成により、ユーザは、推定行き先情報を視聴およびそれに対応した目的地の設定を容易に行うことができる。なお、ここではユーザが、推定行き先情報を考慮して目的地に設定する例を示したが、同様の方法により、経由地や経路を設定できるようにしてもよい。
【００５０】
実施の形態１に係るナビゲーションシステム１００によれば、行き先推定部２１はインターネット端末装置１０におけるユーザの検索履歴または閲覧履歴からユーザの行き先を推定するため、ユーザが行ったことのない場所でも行き先として推定することができる。また、情報収集部２２が収集した推定行き先情報が、ナビゲーション装置３０に転送されることで、ユーザは推定された行き先の最新の情報を容易に閲覧することができる。さらに、サーバー２０からナビゲーション装置３０へ送られる情報は、行き先推定部２１によって推定された行き先に関する情報に絞り込まれているため、サーバー２０からナビゲーション装置３０へ送られるデータ量は抑えられる。
【００５１】
＜実施の形態２＞
実施の形態１では、ユーザの行き先を推定する行き先推定部２１と、推定行き先情報を収集する情報収集部２２とを含む情報収集装置を、サーバー２０上で実現した構成のナビゲーションシステム１００を示したが、ナビゲーションシステム１００の構成はこれに限られない。例えば、図１４のように、行き先推定部２１および情報収集部２２をインターネット端末装置１０上で実現することで、情報収集装置をインターネット端末装置１０に内蔵させてもよい。
【００５２】
図１４のナビゲーションシステム１００では、ブラウザ１１における検索履歴または閲覧履歴からユーザの行き先を推定する行き先推定部２１としての処理、および、推定されたユーザの行き先に関する情報（推定行き先情報）を収集する情報収集部２２としての処理が、インターネット端末装置１０上で行われる。そして、情報収集部２２により収集された推定行き先情報は、インターネット端末装置１０からインターネット４０を介してナビゲーション装置３０へと送られる。実施の形態１のナビゲーションシステム１００に比べると、インターネット端末装置１０にかかる負荷が大きくなるが、実施の形態１と同様の効果が得られる。
【００５３】
また、図１４のナビゲーションシステム１００でも、インターネット端末装置１０からナビゲーション装置３０への推定行き先情報の送信を、（行き先推定部２１および情報収集部２２を有しない）サーバー２０を通して行ってもよい。その場合、ユーザがインターネット端末装置１０の電源を切った後にナビゲーション装置３０を起動させる場合でも、ナビゲーション装置３０はサーバー２０から推定行き先情報を受信することができる。
【００５４】
また、図１５のように、インターネット端末装置１０とナビゲーション装置３０との間の通信を、例えばユーザの自宅内のＬＡＮ（Local Area Network）４１を通して行ってもよい。この場合、ナビゲーション装置３０に接続された通信装置３０４は、無線または有線のＬＡＮ端末となる。
【００５５】
図１５のナビゲーションシステム１００では、ナビゲーション装置３０が推定行き先情報を取得できるエリアがＬＡＮ４１の通信圏内（ユーザの自宅内やそれに隣接した車庫内など）に制限されるが、ナビゲーション装置３０は、起動時に推定行き先情報を取得するように構成されていれば、ほぼ確実に推定行き先情報を取得できる。また、図１５の構成は、システムの低コスト化にも寄与できる。また、ＬＡＮ４１に代えて、Bluetooth（登録商標）など、他の方式の近距離通信システムを用いてもよい。
【００５６】
なお、本発明は、その発明の範囲内において、各実施の形態を自由に組み合わせたり、各実施の形態を適宜、変形、省略することが可能である。
【００５７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５８】
１００  ナビゲーションシステム、１０  インターネット端末装置、１１  ブラウザ、２０  サーバー、２１  行き先推定部、２２  情報収集部、３０  ナビゲーション装置、３１  入力処理部、３２  出力処理部、３３  ナビゲーション部、３４  情報取得部、３５  記憶部、４０  インターネット、４１  ＬＡＮ、３０１  入力装置、３０２  表示装置、３０３  音声出力装置、３０４  通信装置、５０１  処理回路、５０２  メモリ、５０３  入出力インターフェイス。
【図１】
2017033301.tif 000003
【図２】
2017033301.tif 000004
【図３】
2017033301.tif 000005
【図４】
2017033301.tif 000006
【図５】
2017033301.tif 000007
【図６】
2017033301.tif 000008
【図７】
2017033301.tif 000009
【図８】
2017033301.tif 000010
【図９】
2017033301.tif 000011
【図１０】
2017033301.tif 000012
【図１１】
2017033301.tif 000013
【図１２】
2017033301.tif 000014
【図１３】
2017033301.tif 000015
【図１４】
2017033301.tif 000016
【図１５】
2017033301.tif 000017
【国際調査報告】
2017033301.tif 000018
2017033301.tif 000019
2017033301.tif 000020
2017033301.tif 000021